(57)【要約】【課題】水没検知用の電極端子を備えた電子機器に用いる端子取付け構造において、電極端子を簡単な操作で筐体に取付けることができ、かつ、使用条件に拘わらず長期に亘って良好な検知性能を発揮させることができるようにする。【解決手段】筐体１に内外に貫通形成した装着孔１５に、電極端子１０が水密状態に挿入されて装着され、電極端子１０の筐体内に突出した小径端子部１０ｂに、筐体内に組み付け固定される回路基板１７に備えられた弾性変形可能な接続用端子１８が弾性的に圧接し、かつ、電極端子１０の小径端子部１０ｂと接続用端子１８との係合により、電極端子１０の筐体外方への抜け出しが阻止される。【選択図】図３
2018006074.tif 000002
【特許請求の範囲】
【請求項１】
水没検知用の電極端子を備えた電子機器に用いる端子取付け構造であって、
前記電子機器の筐体に内外に貫通して形成されている装着孔に水密状態に挿入されて装着される電極端子と、
前記筐体内に固定されている回路基板に備えられる、弾性変形可能な接続用端子と、
を備え、
前記電極端子は、前記装着孔に挿入されて前記筐体の内方に突出する端子部分を有すると共に、
前記端子部分が、前記接続用端子に弾性圧接されて電気的に導通接続され、かつ、前記接続用端子に前記筐体の外方に抜け出し不能に係合される、
ことを特徴とする端子取付け構造。
【請求項２】
前記電極端子の前記端子部分は、その外周に凹部を有すると共に前記凹部の前記筐体内方側に当該凹部の内底面より高い段差部を有し、
前記接続用端子は前記凹部の内底面に弾性圧接して、前記電極端子と電気的に導通接続され、
前記電極端子は、前記接続用端子が前記段差部と係合することにより、前記筐体の外方に抜け出し不能になっている、
請求項１に記載の端子取付け構造。
【請求項３】
前記接続用端子は、
一方向に片持ち状に延出された支持アームと、
前記支持アームの先端部に当該支持アームの前記延出の方向とは逆方向に片持ち状に形成された接触片と、を含み、
前記接触片は、前記凹部の前記内底面に弾性的に圧接状態で係合され、
前記電極端子は、前記接触片が前記段差部と係合することにより、前記筐体の外方に抜け出し不能になっている、
請求項２に記載の端子取付け構造。
【請求項４】
前記装着孔は、
前記筐体の外方に開口する大径孔部と、
前記大径孔部に連通しかつ前記筐体の内方に開口する小径孔部と、
を有し、
前記電極端子は、
前記小径孔部に挿通される小径端子部と、
前記大径孔部に挿入される大径端子部とを有し、
前記小径端子部は、前記筐体内に突出する前記端子部分を構成し、その外周に前記凹部が形成されている、
請求項２または３に記載の端子取付け構造。
【請求項５】
前記筐体の内面には、前記筐体内に挿入された前記電極端子の前記端子部分に対向する位置に、前記電極端子の傾倒を阻止する傾倒阻止部が突設されている、
請求項１ないし４のいずれか一項に記載の端子取付け構造。
【請求項６】
請求項１ないし５のいずれか一項に記載の端子取付け構造を備えた筐体を備え、
前記筐体の側面に、前記端子取付け構造における前記電極端子が、水没検知用の電極端子として少なくとも一対で設けられている、
ことを特徴とする電子機器。
【発明の詳細な説明】
【技術分野】
【０００１】
本発明は、電子機器の筐体に水没検知用の電極端子を装着する際、前記電極端子を筐体に取付ける端子取付け構造、及び、この端子取付け構造を備えた電子機器に関する。
【背景技術】
【０００２】
このような端子取付け構造には、一対の金属製電極端子を、電子機器の筐体の適所に、それぞれの一端部が筐体外方に露出するように、接着して固定し、筐体内に設置された回路基板の水没検知回路と一対の電極端子とを配線で接続するように構成したものがある(例えば、特許文献１参照)。
【０００３】
また、他の端子取付け構造には、導電ゴムからなる電極端子を、筐体内面に設けたボス部の装着孔に、外端が筐体外方に露出しかつ筐体外方への抜け出しが阻止された状態に圧入するとともに、電極端子の内端を回路基板に弾性圧接させて水没検知回路に接続するように構成したものがある(例えば、特許文献２参照)。
【先行技術文献】
【特許文献】
【０００４】
【特許文献１】特許第５５２１８８７号公報
【特許文献２】特許第５７４１８６１号公報
【発明の概要】
【発明が解決しようとする課題】
【０００５】
前者の端子取付け構造は、金属製の電極端子を筐体に接着固定して配線接続する構造である。そのため、接着処理及び配線接続処理に手数を要し、組付け作業性を高めることが困難である。
【０００６】
また、後者の端子取付け構造は、電極端子が導電ゴム製のため、酸やアルカリに弱い。そのため、使用条件によっては比較的短期間の間に電極端子の劣化が進行し、これにより水没検知の性能（導電性能）が早期に低下するおそれがある。
【０００７】
本発明は、上記課題を解決するためになされたものであって、電極端子を簡単な操作で取付け固定することができ、また、使用条件に拘わらず長期に亘って良好な検知性能を発揮することができる端子取り付け構造、及び、この端子取り付け構造を備えた電子機器を提供することを目的とする。
【課題を解決するための手段】
【０００８】
上記目的を達成するために、本発明では次のように構成している。
【０００９】
（１）本発明は、水没検知用の電極端子を備えた電子機器に用いる端子取付け構造であって、前記電子機器の筐体に内外に貫通して形成されている装着孔に水密状態に挿入されて装着される電極端子と、前記筐体内に固定されている回路基板に備えられる、弾性変形可能な接続用端子と、を備え、
前記電極端子は、前記装着孔に挿入されて前記筐体の内方に突出する端子部分を有すると共に、前記端子部分が、前記接続用端子に弾性圧接されて電気的に導通接続され、かつ、前記接続用端子に前記筐体の外方に抜け出し不能に係合される、ことを特徴とする。
【００１０】
本発明の端子取付け構造によれば、電子機器の筐体の装着孔に電極端子を挿入して、筐体内に回路基板を組付けて固定するだけで、回路基板と電極端子とを電気的に導通接続することができる。そのため、回路基板と電極端子とを電気的に接続させる配線接続処理は不要となる。
【００１１】
また、前記電極端子は、前記筐体の外方に抜け出し不能に前記接続用端子に係合されているので、電極端子は筐体外に抜け出しすることが阻止される。そのため、電極端子を、接着剤を用いて筐体に固定処理する作業を要することなく、筐体に安定して保持することができる。
【００１２】
(２)本発明の好ましい実施態様では、前記電極端子の前記端子部分は、その外周に凹部を有すると共に前記凹部の前記筐体内方側に当該凹部の内底面より高い段差部を有し、前記接続用端子は前記凹部の内底面に弾性圧接して、前記電極端子と電気的に導通接続され、前記電極端子は、前記接続用端子が前記段差部と係合することにより、前記筐体の外方に抜け出し不能になっている。
【００１３】
この構成によると、前記凹部の筐体内方側の段差部と接続用端子とが当接することで、電極端子の筐体外方への抜け出しが確実に阻止される。
【００１４】
(３)本発明の他の実施態様では、前記接続用端子は、一方向に片持ち状に延出された支持アームと、前記支持アームの先端部に当該支持アームの前記延出の方向とは逆方向に片持ち状に形成された接触片とを含み、前記接触片が、前記凹部の内底面に弾性的に圧接状態で係合され、前記電極端子は、前記接触片が前記段差部と係合することにより、前記筐体の外方に抜け出し不能になっている。
【００１５】
この構成によると、接続用端子の支持アームと接触片は、屈折された一本の長い片持ち状態と同等の機能を発揮するため、電極端子に対する接続用端子の圧接力の変動が比較的小さいものとなる。従って、接続用端子や電極端子の製作誤差や組付け誤差によって、接触片が電極端子に圧接された際の接触片の弾性変形量に多少の差異があっても、電極端子と接続用端子とを設定した接触圧範囲で弾性圧接させて、安定した所定の導電状態を確保することができる。
【００１６】
また、支持アームと接触片とを屈折して一体に連設することで、単一の接触片を長い片持ち状に構成する場合に比べてコンパクトなものとなる。
【００１７】
(４)本発明の他の実施態様では、前記装着孔は、前記筐体の外方に開口する大径孔部と、前記大径孔部に連通しかつ前記筐体の内方に開口する小径孔部と、を有し、前記電極端子は、前記小径孔部に挿通される小径端子部と、前記大径孔部に挿入される大径端子部とを有し、前記小径端子部は、前記筐体内に突出する前記電極端子の前記端子部分を構成し、その外周に前記凹部が形成されている。
【００１８】
この構成によると、電極端子の大径端子部が装着孔における大径孔部の奥底端に当接するまで電極端子を装着孔に挿入することで電極端子の小径端子部が位置決めされる。そのため、回路基板の組付けによって電極端子の小径端子部の凹部に接続用端子を正確に係合圧接させることができる。これによって、回路基板の回路と電極端子とが的確に電気的に導通接続され、かつ、電極端子の筐体内外方向への移動が確実に阻止される。
【００１９】
(５)本発明の他の実施態様では、前記筐体の内面には、前記筐体内に挿入された前記電極端子の前記端子部分に対向する位置に、前記電極端子の傾倒を阻止する傾倒阻止部が突設されている。
【００２０】
この構成によると、筐体内に挿入された電極端子の端部の外周面に十分接近して傾倒阻止部を筐体の内面に突設しておくことで、接続用端子からの弾性圧接によって電極端子が倒れて変位することを防止することができる。そのため、電極端子の傾倒に伴う接続用端子との接触圧の低減、及び、接触面積の低減を抑止し、これにより、良好な導電状態を維持することができる。
【００２１】
（６）本発明に係る電子機器は、上記端子取付け構造を備えた筐体を備え、前記筐体の側面に、前記端子取付け構造における前記電極端子が、水没検知用の電極端子として少なくとも一対で設けられている、ことを特徴とする。
【００２２】
本発明の電子機器によると、筐体を水没の際に表裏面を上下にして水平あるいは略水平に浮遊する仕様に構成した場合、筐体の側面に取り付けた一対の電極端子が共に水没して電気導通状態となる。そのため、本発明の電子機器によれば、確実に当該電子機器の水没を検知することができる。
【発明の効果】
【００２３】
本発明の端子取付け構造によれば、電極端子を、筐体の装着孔に装着させるだけの簡単な操作で、電極端子を接続用端子に良好に電気的導通させ、かつ、当該筐体から抜け出し不能に筐体に固定することができる。また、本発明の端子取付け構造を電子機器に適用すると、電子機器の水没検知機能を長期に亘り良好に維持させることができる。
【図面の簡単な説明】
【００２４】
【図１】本発明の実施形態に係る端子取付け構造が適用された無線機器の斜視図である。
【図２】図１の無線機器を水面に水没して浮上した状態で示す側面図である。
【図３】図２の無線機器の要部における横断平面図である。
【図４】本発明の実施形態に係る端子取付け構造の電極端子取付け部位を拡大して示す横断平面図である。
【図５】図４のＸ−Ｘ線に沿う断面図である。
【図６】無線機器の筐体の一部を示す斜視図である。
【図７】本発明の実施形態に係る端子取付け構造における電極端子の斜視図である。
【図８】本発明の実施形態に係る端子取付け構造における接続用端子の斜視図である。
【図９】本発明の別の実施形態に係る端子取付け構造における要部の横断平面図である。
【図１０】図９のＹ−Ｙ線に沿う断面図である。
【図１１】本発明のさらに別の実施形態に係る端子取付け構造における要部の横断平面図である。
【発明を実施するための形態】
【００２５】
以下、添付した図面を参照して、本発明の実施形態に係る端子取付け構造、及び、これを備えた電子機器を詳細に説明する。
【００２６】
なお、実施形態では、電子機器の一例として携帯型の無線機器に適用して説明するが、本発明は、他の携帯型の全ての電子機器に適用することができる。
【００２７】
また、本発明は、非携帯型の電子機器であっても、水没検知機能を有する電子機器にも適用することができる。
【００２８】
まず、図１及び図２を参照して、実施形態に係る端子取付け構造が適用される無線機器を説明する。図１は無線機器の外観斜視図であり、図２は水没状態で浮遊している無線機器の側面図である。
【００２９】
無線機器Ａは、図示略の送信機や受信機を収納した筐体１を備える。筐体１は、表筐体１ａと、裏筐体１ｂとを有している。表筐体１ａと裏筐体１ｂは、いずれも、樹脂材で射出成型されたものである。表筐体１ａと裏筐体１ｂは、縦長で表裏に略扁平な形状に構成された表裏二つ割り構造となって、密封材を介して水密状に接合されて連結されている。
【００３０】
なお、説明の都合で、筐体１の表裏方向を前後方向、また、筐体１を正面から見た横方向を左右方向と呼称する。
【００３１】
無線機器Ａは、図２に示すように、水中に落とした際に筐体１の前面が上向きとなって、略水平姿勢で浮遊するように浮力バランスが設定されている。なお、図２では、水中に落とした際に筐体１の前面が上向きで浮遊している状態を示しているが、筐体１の後面が上向きの状態で浮遊している場合もある。いずれの場合も、後述する水没検知用の一対の電極端子１０は、水中に没する。
【００３２】
筐体１の前面には、スピーカグリル２、液晶型のディスプレー３、及び、各種の設定操作を行うための複数の操作キー４が備えられる。筐体１の上端には、コイル状のアンテナ線を樹脂パイプに収納してなるロッド状のアンテナ５が立設され、防水キャップ６が脱着可能に被せられたスピーカ付きマイクロホンの接続端子７が備えられている。
【００３３】
無線機器Ａは、筐体１の左右両側面に、水没を検知する一対の電極端子１０が取り付けられている。無線機器Ａは、一対の電極端子１０により、該無線機器Ａの水没が検知されると、電子警報音が発生したり、ＬＥＤランプが点滅したりするようになっている。
【００３４】
次に、図３〜図８を参照して、実施形態の端子取付け構造を詳細に説明する。図３は、端子取付け構造を有する無線機器の要部の横断平面図、図４は電極端子取付け部位を拡大した横断平面図、図５は図４のＸ−Ｘ線に沿う断面図である。また、図６は筐体の一部を示す斜視図、図７は電極端子の斜視図、図８は接続用端子の斜視図である。
【００３５】
図７に示すように、電極端子１０は、導電性に優れた金属材を用いて、大径端子部１０ａと小径端子部１０ｂとを有した形状に切削加工されている。大径端子部１０ａは、その外周に、環状溝１２が形成されている。この環状溝１２に、ゴム製のシールリング（Ｏリング）１１が装着される(図４参照)。小径端子部１０ｂの外周には、環状の凹部１３が形成されている。
【００３６】
図３〜図６に示すように、裏筐体１ｂの左右両側部の内面に取付けボス１４が形成されている。この取付けボス１４に、電極端子１０の装着のための装着孔１５が左右水平方向に貫通して形成されている。
【００３７】
装着孔１５は、大径孔部１５ａと小径孔部１５ｂとにより、段付きの孔形状に構成されている(図４参照)。大径孔部１５ａは、筐体１の外方側に開口して電極端子１０の大径端子部１０ａが挿入される孔部を構成し、小径孔部１５ｂは、大径孔部１５ａに連通し、かつ、筐体１の内方側に開口し、電極端子１０の小径端子部１０ｂが挿入される孔部を構成する。
【００３８】
電極端子１０の大径端子部１０ａが、装着孔１５の大径孔部１５ａの奥底まで挿入された状態において、電極端子１０の小径端子部１０ｂは、取付けボス１４から筐体１の内方に突出し、小径端子部１０ｂの凹部１３は、筐体１内に露出している(図３、図４参照)。
【００３９】
裏筐体１ｂの後内面には、前方に向けて突出する複数の支持ボス１６が型抜き形成されている(図３、図６参照)。これら支持ボス１６の先端間に亘って、回路基板１７がその表裏面を前後方向に向けた姿勢で支持された状態で、これら支持ボス１６にカシメあるいはネジで固定されている。
【００４０】
回路基板１７の左右両端の裏面には、接続用端子１８が半田付けによって取付けられている。接続用端子１８は、回路基板１７に備えられた水没検知回路（図示略）に電極端子１０を導通接続させるための端子である。
【００４１】
接続用端子１８は、導電性とバネ性とを有する金属板材を打ち抜きプレス及び曲げ加工することにより形成されている(図８参照)。接続用端子１８は、一対の支持アーム１８ａと、接触片１８ｂとを備える。一対の支持アーム１８ａは、左右に適当間隔をもって一方向に片持ち状に湾曲した形状で延出されている。接触片１８ｂは、両支持アーム１８ａの先端から逆向きの片持ち状になって延出され、側面視で逆台形に屈折された形状を有する。
【００４２】
ここで、接触片１８ｂは、回路基板１７が筐体１内に組み付けられた状態において、筐体内に左右水平方向に突出した電極端子１０の小径端子部１０ｂの凹部１３に前方から接近するよう配備される。接触片１８ｂは、外力が作用しない自由状態においては、その扁平した形状の頂部が、小径端子部１０ｂの凹部１３に入り込んで、当該凹部１３の内底面に電気的に導通状態で接触するようになっている。
【００４３】
また、裏筐体１ｂの後内面には、傾倒阻止部１９が突設されている。傾倒阻止部１９は、装着孔１５に挿入された電極端子１０の小径端子部１０ｂの先端の外周に対向した位置に形成されている。
【００４４】
次に、電極端子１０及び回路基板１７の組付け手順を説明する。
【００４５】
先ず、電極端子１０の環状溝１２にシールリング１１を嵌入して装着する。その後、電極端子１０を、筐体１の装着孔１５に、小径端子部１０ｂ側から挿入すると共に、電極端子１０の大径端子部１０ａと、装着孔１５の大径孔部１５ａとの間にシールリング１１を圧入して、装着孔１５を防水封止して筐体１内を水密状態とする。
【００４６】
次に、回路基板１７に接続用端子１８を予め取付けておき、この回路基板１７を裏筐体１ｂの所定位置に組付けて固定する。
【００４７】
回路基板１７の組付けに伴って、接続用端子１８が前方から電極端子１０の小径端子部１０ｂに接近し、接続用端子１８の接触片１８ｂが、小径端子部１０ｂの凹部１３の内底面に弾性変形しながら係合し、接触片１８ｂが、小径端子部１０ｂの凹部１３の内底面に弾性的に圧接される。これによって、電極端子１０は、接続用端子１８を介して、回路基板１７の図示略の水没検知回路に対して、電気的に導通状態に接続される。
【００４８】
また、電極端子１０は、小径端子部１０ｂの凹部１３により、凹部１３における筐体１の内方側に凹部１３の内底面よりも高い段差部１３ａが形成されている。そのため、電極端子１０の凹部１３の内底面に接続用端子１８が係合された状態においては、接続用端子１８の接触片１８ｂの側端は、電極端子１０の段差部１３ａに近接している。電極端子１０は、筐体１外に抜け出す方向へ移行すると、接続用端子１８の接触片１８ｂが段差部１３ａに当接することによって、その抜け出しが阻止される。したがって、無線機器に外部から加えられる振動や衝撃によっても、電極端子１０は筐体１の外方に抜け出ることはなく、常に的確に水没検知を行うことができる。
【００４９】
筐体１の内面には、筐体１内に挿入された電極端子１０の小径端子部１０ｂの前記挿入方向の先端部分に対応する位置で、かつ、小径端子部１０ｂの先端部分を挟んで接続用端子１８と対向する側に、電極端子１０の傾倒を阻止する傾倒阻止部１９が突設されている。
【００５０】
電極端子１０は、接続用端子１８と圧接して後方に押されても、傾倒阻止部１９により受止められる。そのため、小径端子部１０ｂにおける凹部１３の内底面と接続用端子１８の接触片１８ｂとの接触圧は低減されず、接触片１８ｂと電極端子１０との電気的導通は良好に維持される。
【００５１】
本実施形態の端子取付け構造を無線機器の筐体に適用すると、以下の効果が得られる。
【００５２】
無線機器の筐体は、一般に、射出成型によって表筐体と裏筐体との２つ割りに分割できる構造とされる。この分割構造で、筐体の側面に端子取付け用の装着孔を貫通形成するには、横向きに摺動される摺動金型が使用される。
【００５３】
しかし、無線機器は、携帯型であると、そのサイズが小さく、筐体の内面を成型する内金型は必然と小さくなる。そのため、この内金型に摺動金型を組み込むことは難しく、筐体の外面を成型する外金型に装着孔成型用の摺動金型を組み込んだ金型形態が採用されることになる。
【００５４】
このように、外金型に摺動金型を組み込んで貫通孔を形成する場合、摺動金型は成型品から外方に抜かれるので、成型される貫通孔は、ストレート孔、外拡がりのテーパー孔、あるいは、外方に大径孔部が開口する段付き孔にならざるを得ない。
【００５５】
また、端子を筐体の側面の装着孔に組付け挿入する場合、筐体が小型であるため、筐体の内方から横向きに挿入することは難しく、筐体の外方から組付け挿入する方が容易である。
【００５６】
ここで、上記したストレート孔、外拡がりのテーパー孔、あるいは、外拡がりの段付き孔に端子を外方から挿入装着すると、装着した端子の外方への抜け出しを阻止する何らかの手段を備える必要が生じる。
【００５７】
外方から挿入した端子金具の外方への抜け出しを阻止する手段としては、例えば、筐体の内方に突出した端子に、ストッパリングやストッパピン等の抜け止め部品を取り付けることも考えられるが、これら抜け止め部品を取り付ける工数が増えて組み立て作業性を低下させるのみならず、部品点数の増大を招くことになる。
【００５８】
これに対して、本発明の端子取付け構造を採用すれば、外方から挿入装着した電極端子を、上述したように、抜け止め用の特別な部品を用いることなく簡単に抜け止めすることができ、筐体の側面に電極端子を組み付けた仕様の無線機器を、組み付け容易に、かつ、安価に得ることができる。
【００５９】
（他の実施形態）
本発明は、以下のような形態で実施することもできる。
【００６０】
（１）電極端子１０の小径端子部１０ｂの先端部に傾斜角度の小さい円錐状の先細り案内部を形成しておくと、電極端子１０を後組みすることが可能となる。つまり、先に回路基板１７を組付けた後に、先細りの前記案内部で接続用端子１８の接触片１８ｂを押圧して後退変形させながら電極端子１０を挿入し、所定位置まで電極端子１０を挿入した状態で、接触片１０を弾性復元させて小径端子部１０ｂの凹部１３内底面に係合させて弾性圧接することができる。
【００６１】
（２）図９及び図１０に示すように、接続用端子１８に一対の接触片１８ｂを対向して設けると共に、両接触片１８ｂの自由状態における対向間隔を電極端子１０における凹部１３の内底面の外径より小さく設定する。このようにすると、電極端子１０を組付けた後、回路基板１７を筐体の所定位置に組付ける際に、両接触片１８ｂは凹部１３内底面に当接して押し拡げられ、凹部１３を挟み込むように、凹部１３内底面に弾性圧接される。これによると、接続用端子１８は２箇所で電極端子１０に圧接されるので、電極端子１０に対して良好な電気的導通状態が得られる。また、対向する両接触片１８で電極端子１０を弾性的に挟持するので、電極端子１０を変位させる作用が発生しにくく、その結果、電極端子１０の傾倒防止用の傾倒阻止部１９を不要にすることができる。
【００６２】
（２）図１１に示すように、筐体１の底面に、電極端子１０が筐体１内に挿入できる限界を規制する位置決め部２０を設ける。この位置決め部２０により、電極端子１０は、軸方向にストレートなピン形状とし、シール用の環状溝１２と係合用の凹部１３とが形成された単純な形状にすることができ、電極端子１０の切削加工が容易なものになると共に、大径端子部１０ａを備える場合に比べて切削量が少なくなり、電極素材を歩留まり良く切削加工することができる。
【００６３】
（３）本発明の端子取付け構造は、一対の電極端子１０を筐体１の両側面に振り分けて設ける場合に好適に活用できるものであるが、一対の電極端子１０を筐体１の一方の側面に電気的に絶縁される適当な間隔をもって設ける形態で実施することもできる。
【００６４】
（４）電極端子１０を装着孔１５に水密状態に挿入する形態としては、電極端子１０における小径端子部１０ｂの大径端子部寄りの箇所に形成した環状溝１２にシールリング１１を外嵌装着して、小径端子部１０ｂと小径孔部１５ｂとの間で水密仕様とすることもできる。この場合、シールリング１１を小径にすることができる。また、大径端子部１０ａで水封する場合に比べて周方向でのシール長さが短くなり、高い水封性能が得られる。
【００６５】
（５）接続用端子１８の素材としては金属バネ板材が好適であるが、適当な曲げ強度を有する金属バネ線材を用いることも可能である。
【００６６】
（６）上記実施形態においては、機器を水に落とした場合に筐体前面が上向きで略水平に浮かぶよう浮力バランスが設定されているので、図２に示すように、水没検知用の電極端子１０を筐体１の側面における後方寄り箇所に取り付けて、両電極端子１０が確実に喫水線より下方に位置するようにしている。しかし、これに限定されず、浮力バランスの設定に応じて喫水線の下方に位置するように両電極端子１０の設置位置を任意に設定すればよい。
【００６７】
例えば、筐体１の前面あるいは筐体１の後面のいずれかが上向きとなって略水平姿勢で浮かぶような浮力バランスの場合には、電極端子１０は筐体１の側面の厚さ方向中央位置に設置することができる。
【００６８】
本発明は、上述した実施形態に限定されるものではなく、その精神または主要な特徴から逸脱することなく、他のいろいろな形態で実施できる。したがって、前述の実施形態はあらゆる点で単なる例示に過ぎず、本発明の範囲は特許請求の範囲に示すものであって、明細書本文には何ら拘束されない。さらに、特許請求の範囲に属する変形や変更は全て本発明の範囲内のものである。
【符号の説明】
【００６９】
Ａ      無線機器(電子機器)
１      筐体
１ａ    表筐体
１ｂ    裏筐体
１０      電極端子
１０ａ    大径端子部
１０ｂ    小径端子部(端子部分)
１１      シールリング
１２      環状溝
１３      凹部
１３ａ    段差部
１４      取付けボス
１５      装着孔
１５ａ    大径孔部
１５ｂ    小径孔部
１７      回路基板
１８      接続用端子
１８ａ    支持アーム
１８ｂ    接触片
１９      傾倒阻止部
【図１】
2018006074.tif 000003
【図２】
2018006074.tif 000004
【図３】
2018006074.tif 000005
【図４】
2018006074.tif 000006
【図５】
2018006074.tif 000007
【図６】
2018006074.tif 000008
【図７】
2018006074.tif 000009
【図８】
2018006074.tif 000010
【図９】
2018006074.tif 000011
【図１０】
2018006074.tif 000012
【図１１】
2018006074.tif 000013